(57)【特許請求の範囲】
【請求項１】
ボード基板と、該ボード基板を壁状に支持する支持体とからなる球技用練習ボードにおいて、前記ボード基板は表層をガラス繊維強化プラスチックとした四つの連接辺を有する複数のボードエレメントを縦横に連接構成し、該ボードエレメントの角が集中する、それぞれの角を三角状に切削し、これによりできた四角穴に、前記支持板に固定され、外形が四角になっている雌ネジ体を埋設し、該雌ネジ体のネジ穴をこれに螺挿した雄ネジ体の頭部により閉塞してなることを特徴とする球技用練習ボード。
【発明の詳細な説明】
【０００１】
【発明の属する技術分野】
本発明は、野球、テニス、サッカー、ラグビー、バレーボール、ハンドボール等の球技用練習ボードに関するものである。
【０００２】
【従来の技術】
一般に球技用練習ボードは、グランドの一隅などに設置され、そのボード面を狙ってボールを打ち込み、該ボード面から反発返球されたボールを再びボード面に向かって打ち込むということを繰り返すためのものである。
【０００３】
上記ボールの打ち込み練習を有効に成せるようにするためには、打ち込んだボールが、自己の目標点（面）より上下左右にある程度ズレたとしてもフォローされ、確実に反発返球されるように大きな面積をもっていることが重要である。従って、球技用練習ボードの設置には大きな設置スペースが必要であった。
【０００４】
【発明が解決しようとする課題】
しかしながら、グランドにおける大きなスペースを専有する、球技用練習ボードが、上記ボールの打ち込み練習だけのものでは活用不足であり、他の練習法にも広く活用できるようにすることが望まれた。
【０００５】
そこで、本発明は、大きな面積をもつボード面を有効に活用できるようにした球技用練習ボードを提供することを目的としている。また、他の目的は球技毎に種々の目的をもった練習ができる球技用練習ボードを提供することにある。
【０００６】
【問題を解決するための手段】
本発明は、上記目的を達成するためのものであって、ボード基板と、該ボード基板を壁状に支持する支持体とからなる球技用練習ボードにおいて、前記ボード基板は表層をガラス繊維強化プラスチックとした四つの連接辺を有する複数のボードエレメントを縦横に連接構成し、該ボードエレメントの角が集中する、それぞれの角を三角状に切削し、これによりできた四角穴に、前記支持板に固定され、外形が四角になっている雌ネジ体を埋設し該雌ネジ体のネジ穴をこれに螺挿した雄ネジ体の頭部により閉塞してなり、バスケットボールのゴール、サッカーのゴールエリアを立体的に示すためのアンテナ、或いはキック練習用標的などを取付けることが可能であって、球技毎に種々の目的をもった練習ができるように構成した。
【０００９】
【発明の実施の形態】
次に、本発明の実施の形態を図面に基づいて説明する。図１は雌ネジ体を埋設したボード基板の正面図、図２はボード基板を構成するボードエレメントの角が集中する個所に雌ネジ体を埋設した状態を示す正面図、図３は雌ネジ体の埋設部を示すボード基板の断面図、図４は雌ネジ体に螺挿した雄ネジ体で、被着物を取付けた場合の断面図、図５は雌ネジ体を利用してバスケットボールのゴールを取付けた場合のボード基板の側面断面図、図６は雌ネジ体を利用してサッカーのゴールエリアを立体的に示すためのアンテナ、及びキック練習用標的を取付けた場合のボード基板の側面断面図である。
【００１０】
本願球技用練習ボード１は、ボード基板２と、該ボード基板２を壁状に支持する支持体３とからなる。該ボード基板２の形成材料（例えば、木材、金属、コンクリート又はプラスチック材料）は自由に決定してよいが、実施例では図３、図４の如く、表層２ａにガラス繊維強化プラスチック、中層２ｂにプラスチック発泡体、裏層２ｃに木材、金属又はガラス繊維強化プラスチック等から選ばれる素材を用い、かつ各層間を接着剤などにより一体化してなる。
【００１１】
ここに表層２ａをガラス繊維強化プラスチックとしたのは、ボールが繰返し当たる衝撃に充分に耐え、かつ、ボールの反発性に優れているからである。また、中層２ｂをプラスチック発泡体（例えば、熱硬化性のウレタン発泡体が優れている）としたのは、ボード基板全体の軽量化のためである。
【００１２】
前記ボード基板２は全体が一体物であっても良いが、図示の例では複数の連接辺（図面では四つの連接辺を持つ長方形が示されている）を有するボードエレメント２Ａ、２Ｂ、２Ｃ、２Ｄ…を縦方向及び横方向に連接したものが示されている。ボードエレメントを連接したことは、小さい状態で運搬し、大きく組立てられる利点がある。
【００１３】
前記ボード基板２の適所には、雌ネジ体４が埋設されている。該雌ネジ体４は図３の如く、ネジ穴を有する袋部４ａと雄ネジ部４ｂとからなり、該袋部４ａをボード基板２の厚み方向に開けた穴内に挿入し、雄ネジ部４ｂをボード基板２の支持体３に締付ナット４ｃで固定している。該雌ネジ体４は図示の形態のものに限らない。
【００１４】
前記雌ネジ体４のネジ穴には、予め、雄ネジ体５が螺挿されている。これは雌ネジ体４のネジ穴を隠して体裁を整えること、雨水や塵埃などの侵入を防ぐことなどのために有効である。
【００１５】
上記の場合、該雄ネジ体５の頭部５ａは雌ネジ体４の端面乃至ボード基板の表面と面一にすることが、ボールの反発方向を狂わせないためには有効である。また、雄ネジ体５は図４の如く、被着物６を取付けるときの取付器具としても機能するものである。
【００１６】
前記雌ネジ体４の埋設個所はボード基板２の何処でもよいが、ボード基板２が上述の如くボードエレメントを連接してなるものであれば、図１の如く各ボードエレメントの角が集中する個所Ｐを選択すると良い。即ち、各ボードエレメントの角部は、これを図２の如く、三角に切削２Ａ′、２Ｂ′、２Ｃ′、２Ｄ′するだけで、雌ネジ体４の埋設個所が容易に確保できるからである。
【００１７】
また、雌ネジ体４の埋設個所としては、上記以外にも各エレメントが連接する連接線上、或いは、前記ボード基板１の頂面或いは側面に上向き或いは横向きに埋設しても良い。勿論、場合によっては前記ボード基板１の頂面或いは側面に代えて支持体３の頂面或いは側面に設置することもある。
【００１８】
本願球技用練習ボード１は以上の如く構成されているので、雌ネジ体４の一つに図５の如くバスケットボール用のゴール６ａを取付けたり、図６の如く、サッカーのゴールエリアを立体的に示すためのアンテナ６ｂを立てたり、さらにはキック練習用の標的６ｃを取付けたりすることが可能となる。
【００１９】
なお、図６において、アンテナ６ｂと標的６ｃは、その基部に雄ネジ体５′を一体に設けている。即ち、前記雌ネジ体４のネジ穴に予め螺合してある雄ネジ体５を外して、直に螺合できるようになっている。
【００２０】
【発明の効果】
以上の如く、本発明は、ボード基板と、該ボード基板を壁状に支持する支持体とからなる球技用練習ボードにおいて、前記ボード基板は表層をガラス繊維強化プラスチックとした四つの連接辺を有する複数のボードエレメントを縦横に連接構成し、該ボードエレメントの角が集中する、それぞれの角を三角状に切削し、これによりできた四角穴に、前記支持板に固定され、外形が四角になっている雌ネジ体を埋設し、該雌ネジ体のネジ穴をこれに螺挿した雄ネジ体の頭部により閉塞してなることを特徴としているから、支持体に壁状に支持されたボード基板は四つの連接辺を有する複数のボードエレメントを縦横に連接構成してなり、小さい状態で運搬し、大きく組立てられる利点がある。また、そのボードエレメントの角が集中する、それぞれの角を三角状に切削し、これによりできた四角穴に、前記支持板に固定され、外形が四角になっている雌ネジ体を埋設したから、該雌ネジ体がその埋設個所にて支持板に固定されているため、バスケットボール用のゴール、サッカーのゴールエリアを立体的に示すためのアンテナ、或いはキック練習用の標的などを堅牢に回転することなく取り付ける。さらに、前記ボード基板を構成するボードエレメントは、それぞれの表層がガラス繊維強化プラスチックになっているため、ボールが繰返し当たる衝撃に充分に耐え、かつ、ボールの反発性に優れているなど各種の優れた効果を奏するものである。
【図面の簡単な説明】
【図１】雌ネジ体を埋設したボード基板の正面図である。
【図２】ボード基板を構成するボードエレメントの角が集中する個所に雌ネジ体を埋設した状態を示す正面図である。
【図３】雌ネジ体の埋設部のボード基板の断面図である。
【図４】雌ネジ体に螺挿した雄ネジ体で、被着物を取付けた場合の断面図である。
【図５】雌ネジ体を利用してバスケットボール用のゴールを取付けた場合のボード基板の側面断面図である。
【図６】雌ネジ体を利用してサッカーのゴールエリアを立体的に示すためのアンテナ、及びキック練習用標的を取付けた場合のボード基板の側面断面図である。
【符号の説明】
１  本願球技用練習ボード
２  ボード基板
３  支持体
４  雌ネジ体
５  雄ネジ体
６  被着物
６ａ  バスケットボール用のゴール
６ｂ  アンテナ
６ｃ  標的
【図１】
0003936762.tif 000002
【図２】
0003936762.tif 000003
【図３】
0003936762.tif 000004
【図４】
0003936762.tif 000005
【図５】
0003936762.tif 000006
【図６】
0003936762.tif 000007